(57)【特許請求の範囲】
【請求項１】
エアクリーナケースとエアクリーナキャップを備えるエアクリーナ本体を有しており、前記エアクリーナケースは、第１のケース空間と、第２のケース空間と、前記第１のケース空間と前記第２のケース空間を分ける仕切り壁と、を備えており、前記エアクリーナキャップは、前記第１のケース空間の上方に位置する第１のキャップ空間と、前記第２のケース空間の上方に位置する第２のキャップ空間と、前記仕切り壁の上方への延長面内にある流れ通過平面と、を備えており、前記エアクリーナケースの側壁に、前記第１のケース空間に空気を導入するインレット部が設けられ、前記エアクリーナケースの下壁に、前記第２のケース空間からエアクリーナの外に空気を流出させるアウトレット部が設けられ、前記エアクリーナケースの第１のケース空間と前記エアクリーナキャップの第１のキャップ空間との間にエアクリーナエレメントが配置される、エアクリーナであって、
前記エアクリーナキャップの前記第２のキャップ空間内に、前記流れ通過平面の下端と同じかまたはほぼ同じ位置まで下方に延びるリブが設けられており、
前記リブは、湾曲部と直線部を備えており、
前記湾曲部は、エアクリーナの平面視で、前記流れ通過平面との間の距離を大と方向に湾曲しており、
前記直線部は、エアクリーナの平面視で前記流れ通過平面が延びる方向に前記湾曲部から直線状に延びており、エアクリーナの平面視で前記流れ通過平面が延びる方向で前記湾曲部よりも前記アウトレット部から遠くにある、エアクリーナ。
【発明の詳細な説明】
【０００１】
【発明の属する技術分野】
本発明は、エアクリーナに関する。
【０００２】
【従来の技術】
アウトレット部にエアフロメータが設けられたエアクリーナがある。
従来のエアクリーナは、エアフロメータの出力のばらつきを低減するために、▲１▼図６に示すように、エアフロメータ７の上流側にある程度の長さの筒状のストレート部１ａを設けて流れを安定させたり、▲２▼たとえば特開２０００−３０３９２１号公報に開示されているように、アウトレット部の上流側にファンネル形状のファンネル形状部を設けたりしている。
【０００３】
【特許文献１】
特開２０００−３０３９２１号公報
【０００４】
【発明が解決しようとする課題】
従来のエアクリーナには、つぎの問題点がある。
▲１▼筒状のストレート部を設ける場合（図６参照）
エアフロメータ７の前に筒状のストレート部１ａを設けるため、エアフロメータ７の取付位置が限られてしまう。また、エアクリーナ１を狭い空間に配置する場合、十分な長さのストレート部１ａを設けることが困難である。
▲２▼ファンネル形状部を設ける場合
エアクリーナの形状によっては、スペース上、ファンネル形状部を設けることが困難な場合がある。
本発明の目的は、ストレート部やファンネル形状部を設けることができない場合でも、エアフロメータの出力がばらつくことを低減できるエアクリーナを提供することにある。
【０００５】
【課題を解決するための手段】
上記目的を達成する本発明はつぎの通りである。
（１）  エアクリーナケースとエアクリーナキャップを備えるエアクリーナ本体を有しており、前記エアクリーナケースは、第１のケース空間と、第２のケース空間と、前記第１のケース空間と前記第２のケース空間を分ける仕切り壁と、を備えており、前記エアクリーナキャップは、前記第１のケース空間の上方に位置する第１のキャップ空間と、前記第２のケース空間の上方に位置する第２のキャップ空間と、前記仕切り壁の上方への延長面内にある流れ通過平面と、を備えており、前記エアクリーナケースの側壁に、前記第１のケース空間に空気を導入するインレット部が設けられ、前記エアクリーナケースの下壁に、前記第２のケース空間からエアクリーナの外に空気を流出させるアウトレット部が設けられ、前記エアクリーナケースの第１のケース空間と前記エアクリーナキャップの第１のキャップ空間との間にエアクリーナエレメントが配置される、エアクリーナであって、
前記エアクリーナキャップの前記第２のキャップ空間内に、前記流れ通過平面の下端と同じかまたはほぼ同じ位置まで下方に延びるリブが設けられており、
前記リブは、湾曲部と直線部を備えており、
前記湾曲部は、エアクリーナの平面視で、前記流れ通過平面との間の距離を大と方向に湾曲しており、
前記直線部は、エアクリーナの平面視で前記流れ通過平面が延びる方向に前記湾曲部から直線状に延びており、エアクリーナの平面視で前記流れ通過平面が延びる方向で前記湾曲部よりも前記アウトレット部から遠くにある、エアクリーナ。
【０００６】
上記（１）のエアクリーナでは、リブを設けて整流している。そのため、従来のストレート部やファンネル形状部は不要である。
また、リブを設けて、流れ通過平面からアウトレット部の入口までの流路長を互いに異なる流路の何れに対しても互いにほぼ等しくするので、一方の流れが他方の流れの側面に当らないで流れの終端で合流しあう。そのため、空気流れ平面を通過しアウトレット部の入口に達する空気流れ同士がアウトレット部の入口付近でぶつかり、アウトレット部の入口付近で乱流が発生することを防止できる。そのため、流れが整った状態でアウトレットに入る。したがって、エアフロメータの出力がばらつくことを低減できる。
【０００７】
【発明の実施の形態】
以下、本発明実施例のエアクリーナを、図１〜図５を参照して、説明する。
本発明実施例のエアクリーナ１０は、図３に示すように、エアクリーナ本体２０と、インレット部３０と、アウトレット部４０と、エアクリーナエレメント５０と、リブ６０とを、有する。アウトレット部４０には、図２に示すように、エアフロメータ７０が設けられている。
【０００８】
エアクリーナ本体２０は、エアクリーナケース２１と、エアクリーナキャップ２２を、有する。
エアクリーナケース２１は、図３に示すように、第１のケース空間２１ａと、第２のケース空間２１ｂと、第１のケース空間２１ａと第２のケース空間２１ｂを分ける仕切り壁２１ｃとを、有する。
エアクリーナキャップ２２は、エアクリーナ本体２０の上側に配置される。エアクリーナキャップ２２は、第１のケース空間２１ａの上方に位置する第１のキャップ空間２２ａと、第２のケース空間２１ｂの上方に位置する第２のキャップ空間２２ｂと、第１のキャップ空間２２ａと第２のキャップ空間２２ｂとの境にあり、エアクリーナエレメント５０より下流でアウトレット部４０より上流の位置で主流にほぼ直交する流れ通過平面２２ｃとを、有する。流れ通過平面２２ｃを通過する流速は、ほぼ均一である。
【０００９】
インレット部３０は、エアクリーナケース２１またはエアクリーナキャップ２２に設けられる（図示例では、インレット部３０がエアクリーナケース２１に設けられる場合を示している）。以下、本発明実施例では、インレット部３０がエアクリーナケース２１に設けられる場合を例にとって説明する。
インレット部３０は、エアクリーナケース２１に一体に成形される。ただし、インレット部３０は、エアクリーナケース２１と別体に形成されてエアクリーナケース２１に固定して取付けられていてもよい。インレット部３０は、エアクリーナケース２１の側壁中間部に設けられる。ただし、インレット部３０はエアクリーナケース２１の側壁の端に設けられていてもよい。インレット部３０は、エアクリーナ本体２０内に突出していない。インレット部３０部位での流路断面は、たとえば円形である。インレット部３０は、図示略のインレットから入り込んだ空気を第１のケース空間２１ａ内に導入する。
【００１０】
アウトレット部４０は、エアクリーナケース２１またはエアクリーナキャップ２２に設  けられる（図示例では、アウトレット部４０がエアクリーナケース２１に設けられる場合を示している）。以下、本発明実施例では、アウトレット部４０がエアクリーナケース２１に設けられる場合を例にとって説明する。
アウトレット部４０は、エアクリーナケース２１に一体に成形されるか、または、エアクリーナケース２１と別体に形成されてエアクリーナケース２１に固定して取付けられる。アウトレット部４０は、第２のケース空間２１ｂ内の空気をエアクリーナ外に流出させる。アウトレット部４０部位での流路断面は、たとえば円形である。アウトレット部４０のエアクリーナ内側の口（入口）４１は、図４に示すように、空気流れの幅方向Ａで、エアクリーナ本体２０の第２のケース空間２１ｂの一端部またはその近傍に位置している。
図３に示すように、インレット部３０から第１のケース空間２１ａ内に入り込んだ空気は、エアクリーナエレメント５０を通過し第１のキャップ空間２２ａに入り、第１のキャップ空間２２ａから流れ通過平面２２ｃを通過し第２のキャップ空間２２ｂに入り、第２のキャップ空間２２ｂから第２のケース空間２１ｂに入り、流れを幅方向Ａの一端側に寄せてアウトレット部４０からエアクリーナ１０の外に出る。
エアクリーナエレメント５０は、エアクリーナケース２１とエアクリーナキャップ２２  とで挟まれている。エアクリーナエレメント５０は、第１のケース空間２１ａと第１のキャップ空間２２ａとの間に配置される。
【００１１】
リブ６０は、エアクリーナキャップ２２に設けられている。リブ２２は、エアクリーナキャップ２２に一体成形される。ただし、リブ６０は、エアクリーナキャップ２２と別体に形成されてエアクリーナキャップ２２に固定して取付けられていてもよい。リブ６０は、流れ通過平面２２ｃより下流でアウトレット部４０より上流の位置に設けられている。リブ６０は、エアクリーナキャップ２２の内壁面からエアクリーナケース２１側に延びている。リブ６０は、流れ通過平面２２ｃの下端と同じかまたはほぼ同じ位置までエアクリーナケース２１側に延びている。リブ６０は、第２のキャップ空間２２ｂ内に位置し、第２のケース空間２１ｂ内に入り込んでいないことが望ましい。
【００１２】
リブ６０は、第２のキャップ空間２２ｂの、空気流れの幅方向Ａと直交する方向（以下、奥行き方向という）Ｂの中央部またはその近傍に設けられている。リブ６０は、流れ通過平面２２ｃに対向している。
リブ６０は、流れ通過平面２２ｃからアウトレット部４０の入口４１までの流路長を互いに異なる流路の何れに対しても互いにほぼ等しくする（図３、図４の点線と一点鎖線の流路長を互いにほぼ等しくする）形状を有している。
リブ６０は、図１に示すように、空気流れの幅方向Ａに延びて設けられている。リブ６０は、空気流れの幅方向Ａに、直線状に延びていてもよく、少なくとも一部が湾曲していてもよい（図示例では、一部が湾曲している場合を示している）。以下、本発明実施例では、リブ６０が空気流れの幅方向Ａで、一部が湾曲している場合を例にとって説明する。
リブ６０は、湾曲部６１と、直線部６２とを、有する。
【００１３】
湾曲部６１は、図４に示すように、空気流れの幅方向Ａでアウトレット部４０の入口４１に近い側に設けられている。湾曲部６１は、流れ通過平面２２ｃとの間の距離を大とする方向に湾曲している。湾曲部６１は、アウトレット部４０の入口４１の形状（アウトレット部４０の断面形状）にほぼ沿う形状に湾曲している。
直線部６２は、空気流れの幅方向Ａでアウトレット部４０の入口４１から遠い側に設けられている。直線部６２は、空気流れの幅方向Ａで湾曲部６１に連なっている。
【００１４】
直線部６２には、切欠き６３が設けられている。切欠き６３は、リブ６０を設けることで図５に示すようにエアクリーナ１０全体が共鳴管となることを防止するために設けられている。切欠き６３は、図４に示すように、空気流れの幅方向Ａの、アウトレット部４０から遠い側の部位に、設けられている。切欠き６３は、リブ６０のうち、空気流れの幅方向Ａでアウトレット部４０から最も離れた位置に設けられていることが望ましい。切欠き６３は、流れ通過平面２２ｃを通りアウトレット部４０に流れる主流がリブ６０の裏側のスペースＳに入り込まないように設けられている。
リブ６０は、倒れ防止用リブ６４により支えられている。倒れ防止用リブ６４は、リブ６０の、流れ通過平面２２ｃ側と反対側の面に、設けられている。
【００１５】
つぎに、本発明実施例の作用を説明する。
本発明実施例では、リブ６０を設けて整流している。そのため、整流するために従来のストレート部やファンネル形状部は不要である。
また、リブ６０を設けて、流れ通過平面２２ｃからアウトレット部４０の入口４１までの流路長を互いに異なる流路の何れに対しても互いにほぼ等しくするので、一方の流れが他方の流れの側面に当らないで流れの終端で合流しあう。そのため、空気流れ平面２２ｃを通過しアウトレット部４０の入口４１に達する空気流れ同士がアウトレット部２０の入口４１付近でぶつかり、アウトレット部４０の入口４１付近で乱流が発生することを防止できる。そのため、流れが整った状態でアウトレット４０に入る。したがって、エアフロメータ７０の出力がばらつくことを低減できる。
【００１６】
リブ６０に切欠き６３を設けたので、エアクリーナ１０が図５に示すような閉管になることを防止できる。そのため、エアクリーナ１０で共鳴が起きることを防止できる。
リブ６０を設けることにより９０度に流路を曲げるのでベンド形消音の役割をもたせることができる。
リブ６０がエアクリーナケース２１内に入り込んでいない場合、▲１▼エアクリーナキャップ２２を輸送するときに、リブ６０が邪魔になることはない。また、▲２▼リブ６０がエアクリーナケース２１内に入り込んでいる場合に比べて、図示略の金型が大きくなることを防止でき、型費が安い。
【００１７】
リブ６０は、流れ通過平面２２ｃより下流でアウトレット部４０より上流の位置に設けられている。この構造では、エアフロメータ７０部にきれいに流すために、リブ６０をエアクリーナ本体２０内の全体に設ける必要はない。そのため、▲１▼大幅なコストアップを避けることができる。また、▲２▼エアクリーナ１０の容積を減少させることがない。また、▲３▼流れが複雑になり、整流のためにつけた部品が吸気音悪化につながるおそれもない。
【００１８】
【発明の効果】
請求項１記載のエアクリーナによれば、リブを設けて整流しており、従来のストレート部やファンネル形状部は不要である。
また、リブを設けて、流れ通過平面からアウトレット部の入口までの流路長を互いに異なる流路の何れに対しても互いにほぼ等しくするので、一方の流れが他方の流れの側面に当らないで流れの終端で合流しあう。そのため、空気流れ平面を通過しアウトレット部の入口に達する空気流れ同士がアウトレット部の入口付近でぶつかり、アウトレット部の入口付近で乱流が発生することを防止できる。そのため、流れが整った状態でアウトレットに入る。したがって、エアフロメータの出力がばらつくことを低減できる。
【図面の簡単な説明】
【図１】本発明実施例のエアクリーナの平面図である。
【図２】本発明実施例のエアクリーナの正面図である。
【図３】図１のＣ−Ｃ線断面図である。
【図４】本発明実施例のエアクリーナキャップ内とリブを示す断面図である。
【図５】リブに切欠きが設けられておらずエアクリーナ全体が共鳴管になる場合を示す断面図である。
【図６】従来のエアクリーナの、エアフロメータの上流側にある程度の長さの筒状のストレート部を設けた場合を示す断面図である。
【符号の説明】
１０  エアクリーナ
２０  エアクリーナ本体
２１  エアクリーナケース
２１ａ  第１のケース空間
２１ｂ  第２のケース空間
２２  エアクリーナキャップ
２２ａ  第１のキャップ空間
２２ｂ  第２のキャップ空間
２２ｃ  流れ通過平面
３０  インレット部
４０  アウトレット部
４１  アウトレット部の入口
５０  エアクリーナエレメント
６０  リブ
６１  湾曲部
６２  直線部
６３  切欠き
６４  倒れ防止用リブ
７０  エアフロメータ
【図１】
0004067996.tif 000002
【図２】
0004067996.tif 000003
【図３】
0004067996.tif 000004
【図４】
0004067996.tif 000005
【図５】
0004067996.tif 000006
【図６】
0004067996.tif 000007